(57)【要約】【課題】折り畳み出来る採尿用容器で、持ち手となる部分を設けることによって、持ちやすく、また、前かがみの姿勢を取らなくても採尿できる採尿用容器を提供する。【解決手段】長さの等しい２つの等辺１ａ、１ａと、底辺１ｂとからなる二等辺三角形型の底面板１と、底面板から立ち上がる２つの等辺側面板２、２と、底辺側面板３とを有し、各側面板の左右に接着片を延設して、隣り合う接着片の内面どうしを接着した。そして、２つの等辺側面板２、２の間に延設した接着片２ａ、２ａを持ち手になるように、長く形成した。【選択図】図１
2014142306.tif 000002
【特許請求の範囲】
【請求項１】
長さの等しい２つの等辺と、底辺とからなる二等辺三角形型の底面板と、該底面板から立ち上がる２つの等辺側面板と、底辺側面板とを有し、該等辺側面板と底辺側面板の左右両端に接着片を延設して、隣り合う該接着片の内面どうしを接着したことを特徴とする採尿用容器。
【請求項２】
２つの前記等辺側面板の間に延設した前記接着片を持ち手になるように、長く形成したことを特徴とする請求項１に記載の採尿用容器。
【発明の詳細な説明】
【技術分野】
【０００１】
本発明は、採尿用容器に関するものである。
【背景技術】
【０００２】
健康診断や病理検査において、尿検査がその検査項目のひとつとして一般的に行われている。この尿検査は、尿中のいろいろな成分を測定する項目を含み、体の状態について多くの情報が得られ、診断の上で重要な検査項目となっている。
【０００３】
病院や診療所で尿検査を行う場合などでは、尿検査に用いる採尿用容器は、下部に糸切り状の環状脚部を有し、上部を外側にカールさせて丸めたトップカール部を有する、いわゆる紙カップが用いられることが多い。
【０００４】
しかし最近では、尿検査用の採尿を自宅で行う場合があり、この場合は、密封できる提出用容器で採尿すると、提出用容器が大きくなってしまい、持ち運びに不便であるため、採尿時に使用して提出用容器に尿を移し替える、使い捨ての出来る採尿用容器が必要になる。
【０００５】
また、この使い捨ての出来る採尿用容器は、自宅に持ち帰る、あるいは、送付されるので、使用する前には嵩張らないことが要求される。そのため、折り畳み出来る容器が用いられることがある。このような、折り畳み出来る採尿用容器で、特に女性も使用しやすいように考慮されたものがある。
【０００６】
例えば、図１１のように、採尿時には舟形形体をした紙コップになり、採尿開口部がデルタ型に大きく開き、尿の飛散をさえぎる防護壁４があり、一回の採尿容量が従来比より多く、採尿後も平らなデルタ船底５が確保され倒れない舟形折畳みコップ３００がある（特許文献１）。
【０００７】
この舟形折畳みコップ３００で採尿する場合、理想的には、図１２に示すように、手のひらに舟形折畳みコップ３００の防護壁４が当たるようにして、親指と、薬指、小指で舟形折畳みコップ３００の左横腹６と、右横腹７を押さえ挟み、舟形折畳みコップ３００を手で包み込むようにしながら、採尿口に向かって強く押し当て、密着させて採尿する。
【０００８】
公知文献を以下に示す。
【先行技術文献】
【特許文献】
【０００９】
【特許文献１】特開２００７−３３４２１号公報
【発明の概要】
【発明が解決しようとする課題】
【００１０】
前述の舟形折畳みコップは、持ち手の部分が存在しない為、舟形折畳みコップを手で包み込むようにして持たねばならず、非常に持ちにくい構造である。また採尿時には、股下中央部まで舟形折畳みコップを移動させる必要があり、前かがみの姿勢を取らなければならず、年配の女性にとっては、この前かがみの姿勢を取ること自体きびしいことがある。
【００１１】
本発明は、折り畳み出来る採尿用容器で、持ち手となる部分を設けることによって、持ちやすく、また、前かがみの姿勢を取らなくても採尿できる採尿用容器を提供することを
課題とする。
【課題を解決するための手段】
【００１２】
本発明は係る課題に鑑みなされたものであり、請求項１の発明は、長さの等しい２つの等辺と、底辺とからなる二等辺三角形型の底面板と、該底面板から立ち上がる２つの等辺側面板と、底辺側面板とを有し、該等辺側面板と底辺側面板の左右両端に接着片を延設して、隣り合う該接着片の内面どうしを接着したことを特徴とする採尿用容器である。
【００１３】
本発明の請求項２の発明は、２つの前記等辺側面板の間に延設した前記接着片を持ち手になるように、長く形成したことを特徴とする請求項１に記載の採尿用容器である。
【発明の効果】
【００１４】
本発明の採尿用容器は、折り畳み出来て運搬に便利で、使用時には、持ち手となる部分が設けられ、持ちやすく、前かがみの姿勢を取らなくても採尿することが出来る。そのため、前かがみの姿勢を取ることが厳しい年配の女性でも無理なく使用することが出来る。
【図面の簡単な説明】
【００１５】
【図１】本発明の採尿用容器の第１の実施形態を模式的に斜視で示した説明図である。
【図２】本発明の採尿用容器の第１の実施形態を模式的に側面で示した説明図である。
【図３】本発明の採尿用容器の第１の実施形態を模式的に平面で示した説明図である。
【図４】本発明の採尿用容器の第１の実施形態のブランクを模式的に示した説明図である。
【図５】本発明の採尿用容器の第１の実施形態を折り畳んだ状態を模式的に示す説明図である。
【図６】本発明の採尿用容器の第１の実施形態を使用する状態を模式的に示す説明図である。
【図７】本発明の採尿用容器の第２の実施形態を模式的に斜視で示した説明図である。
【図８】本発明の採尿用容器の第２の実施形態を模式的に側面で示した説明図である。
【図９】本発明の採尿用容器の第２の実施形態のブランクを模式的に示した説明図である。
【図１０】本発明の採尿用容器の第２の実施形態を折り畳んだ状態を模式的に示す説明図である。
【図１１】従来の採尿用容器の一例を模式的に斜視で示した説明図である。
【図１２】従来の採尿用容器の一例を使用する状態を模式的に示す説明図である。
【発明を実施するための形態】
【００１６】
＜第１の実施形態＞
以下、本発明を実施するための第１の実施形態につき説明する。
図１は、本発明の採尿用容器の第１の実施形態を模式的に斜視で示した説明図、図２は、本発明の採尿用容器の第１の実施形態を模式的に側面で示した説明図、図３は、本発明の採尿用容器の第１の実施形態を模式的に平面で示した説明図である。
【００１７】
第１の実施形態の採尿用容器１００は、底面板１が、長さの等しい２つの等辺１ａ、１ａと、底辺１ｂとからなる二等辺三角形型をしている。そして、底面板１の２つの等辺１ａ、１ａから立ち上がる２つの等辺側面板２、２と、底辺１ｂから立ち上がる底辺側面板３が設けられている。
【００１８】
２つの等辺側面板２、２には、それぞれ、等辺側面板２、２どうしが隣り合う側に、接着片２ａ、２ａが設けられ、底辺側面板３と隣り合う側に、接着片２ｂ、２ｂがそれぞれ設けられ、また、底辺側面板３には、接着片３ａ、３ａが両端に設けられている。
【００１９】
そして、等辺側面板２、２どうしが隣り合う側の接着片２ａと接着片２ａが内面どうしで接着している。また、等辺側面板２と底辺側面板３の隣り合う側にそれぞれ設けられた接着片３ａと接着片２ｂが内面どうしで接着している。そして、等辺側面板２、２どうしが隣り合う側に設けられた接着片２ａ、２ａを持ち手になるように長く形成している。
【００２０】
図４は、本発明の採尿用容器の第１の実施形態のブランクを模式的に示した説明図、図５は、本発明の採尿用容器の第１の実施形態を折り畳んだ状態を模式的に示す説明図、図６は、本発明の採尿用容器の第１の実施形態を使用する状態を模式的に示す説明図である。
【００２１】
この採尿用容器１００を製造するには、まず、紙、または、紙の表面に樹脂層を設けた積層体などを、折罫を押圧して設けると同時に打ち抜いて、図４のような、本実施形態の採尿用容器１００用のブランク１０１を作成する。図４において、一点鎖線は、使用時の採尿用容器１００の折罫である。また、点線と破線は、折り畳むときに新たに折る折罫である。
【００２２】
ブランク１０１は、図の中央の一点鎖線で囲まれた底面板１が、長さの等しい２つの等辺１ａ、１ａと、底辺１ｂとからなる二等辺三角形型をしている。そして、底面板１の２つの等辺１ａ、１ａを介して２つの等辺側面板２、２が設けられ、また、底辺１ｂを介して底辺側面板３が設けられている。
【００２３】
２つの等辺側面板２、２には、それぞれ、等辺側面板２、２どうしが隣り合う側に、それぞれ接着片２ａ、２ａが設けられ、接着片２ａ、２ａどうしは、連続して設けられている。また、底辺側面板３と隣り合う側に、接着片２ｂ、２ｂがそれぞれ設けられ、また、底辺側面板３には、接着片３ａ、３ａが両端に設けられ、接着片２ｂと接着片３ａは、底面板１の近傍では連続している。
【００２４】
このように、接着片２ａ、２ａどうしが連続して設けられ、接着片２ｂと接着片３ａが底面板１の近傍では連続しているので、接着して組み立てたときに、接着片の下端から採尿した尿がこぼれないようになっている。
【００２５】
このブランク１０１をまず、底面板１と、等辺側面板２、２と底辺１ｂが垂直になるように、等辺１ａ、１ａと底辺１ｂにあたる折罫を折って立ち上げる。そして、２つの接着片２ａ、２ａを内面どうしで接着し、接着片３ａと接着片２ｂを内面どうしで接着することによって、採尿用容器１００が組み立てられる。
【００２６】
この採尿用容器１００は、折り畳むことが出来る。図３の平面図にある点線を外側に膨らむように山折りして、破線を内側に折り込むように谷折すると、図５のように、折り畳まれる。このように折り畳むことができるので嵩張らず、自宅に持ち帰る、あるいは、送付するなど運搬に便利である。
【００２７】
使用時には、図５のように折り畳んだ採尿用容器１００を、図３のように開いて底部と側面を形成させることが出来る。そして、接着片２ａ、２ａが持ち手になるように長く形成されているので、接着された２枚の接着片２ａ、２ａが持ち手となり、図６のように、ここを持つことが出来、股下中央部まで差し込むことが出来る。そのため、前かがみの姿勢を取らなくても採尿することが出来る。そして、前かがみの姿勢がつらい年配の女性でも容易に採尿することができる。
【００２８】
＜第２の実施形態＞
以下本発明を実施するための第２の実施形態につき説明する。
図７は、本発明の採尿用容器の第２の実施形態を模式的に斜視で示した説明図、図８は、本発明の採尿用容器の第２の実施形態を模式的に側面で示した説明図である。
【００２９】
第２の実施形態の採尿用容器２００は、底面板１１が、長さの等しい２つの等辺１１ａ、１１ａと、底辺１１ｂとからなる二等辺三角形型をしている。そして、底面板１１の２つの等辺１１ａ、１１ａから立ち上がる２つの等辺側面板１２、１２と、底辺１１ｂから立ち上がる底辺側面板１３が設けられている。
【００３０】
２つの等辺側面板１２、１２には、それぞれ、等辺側面板１２、１２どうしが隣り合う側に、接着片１２ａ、１２ａが設けられ、底辺側面板１３と隣り合う側に、接着片１２ｂ、１２ｂがそれぞれ設けられ、また、底辺側面板１３には、接着片１３ａ、１３ａが両端に設けられている。
【００３１】
そして、等辺側面板１２、１２どうしが隣り合う側の接着片１２ａと接着片１２ａが内面どうしで接着している。また、等辺側面板１２と底辺側面板１３の隣り合う側にそれぞれ設けられた接着片１３ａと接着片１２ｂが内面どうしで接着している。
【００３２】
内面どうしで接着している接着片１３ａと接着片１２ｂは、折られて等辺側面板１２に接着されている。そして、等辺側面板１２、１２どうしが隣り合う側に設けられた接着片１２ａ、１２ａを持ち手になるように長く形成している。
【００３３】
図９は、本発明の採尿用容器の第２の実施形態のブランクを模式的に示した説明図、図１０は、本発明の採尿用容器の第２の実施形態を折り畳んだ状態を模式的に示す説明図である。
【００３４】
この採尿用容器２００を製造するには、まず、紙、または、紙の表面に樹脂層を設けた積層体などを、折罫を押圧して設けると同時に打ち抜いて、図９のような、本実施形態の採尿用容器２００用のブランク２０１を作成する。図において、一点鎖線は、使用時の採尿用容器２００の折罫である。また、点線と破線は、折り畳むときに新たに折る折罫である。
【００３５】
ブランク２０１は、図の中央の一点鎖線で囲まれた底面板１１が、長さの等しい２つの等辺１１ａ、１１ａと、底辺１１ｂとからなる二等辺三角形型をしている。そして、底面板１１の２つの等辺１１ａ、１１ａを介して２つの等辺側面板１２、１２が設けられ、また、底辺１１ｂを介して底辺側面板１３が設けられている。
【００３６】
２つの等辺側面板１２、１２には、それぞれ、等辺側面板１２、１２どうしが隣り合う側に、それぞれ接着片１２ａ、１２ａが設けられ、接着片１２ａ、１２ａどうしは、連続して設けられている。また、底辺側面板１３と隣り合う側に、接着片１２ｂ、１２ｂがそれぞれ設けられ、また、底辺側面板１３には、接着片１３ａ、１３ａが両端に設けられ、接着片１２ｂと接着片１３ａは、対角線を挟んで連続している。
【００３７】
このように、接着片１２ａ、１２ａどうしが連続して設けられ、接着片１２ｂと接着片１３ａが連続しているので、接着して組み立てたときに、接着片の下端から採尿した尿がこぼれないようになっている。
【００３８】
このブランク２０１をまず、底面板１１と、等辺側面板１２、１２および底辺１１ｂが垂直になるように、等辺１１ａ、１１ａと底辺１１ｂにあたる折罫を折って立ち上げる。そして、２つの接着片１２ａ、１２ａを内面どうしで接着し、接着片１３ａと接着片１２
ｂを内面どうしで接着することによって、採尿用容器２００が組み立てられる。
【００３９】
この採尿用容器２００は、折り畳むことが出来る。採尿用容器２００を組み立てた状態から、図９のブランク２０１にある点線を外側に膨らむように山折りして、破線を内側に折り込むように谷折すると、図１０のように、折り畳まれる。このように折り畳むことができるので嵩張らず、自宅に持ち帰る、あるいは、送付するなど運搬に便利である。
【００４０】
使用時には、図１０のように折り畳んだ採尿用容器２００を、図７のように開いて底面と側面を形成させることが出来る。そして、接着片１２ａ、１２ａが持ち手になるように長く形成されているので、接着された２枚の接着片１２ａ、１２ａが持ち手となり、図６と同様にして、ここを持つことが出来、股下中央部まで差し込むことが出来る。そのため、前かがみの姿勢を取らなくても採尿することが出来る。そして、前かがみの姿勢がつらい年配の女性でも容易に採尿することができる。
【符号の説明】
【００４１】
１００、２００・・・採尿用容器
１０１、２０１・・・ブランク
１、１１・・・底面板
１ａ、１ａ、１１ａ、１１ａ・・・等辺
１ｂ、１１ｂ・・・底辺
２、２、１２、１２・・・等辺側面板
２ａ、２ａ、１２ａ、１２ａ・・・接着片
２ｂ、２ｂ、１２ｂ、１２ｂ・・・接着片
３、１３・・・底辺側面板
３ａ、３ａ、１３ａ、１３ａ・・・接着片
３００・・・舟形折畳みコップ
４・・・防護壁
５・・・デルタ船底
６・・・左横腹
７・・・右横腹
【図１】
2014142306.tif 000003
【図２】
2014142306.tif 000004
【図３】
2014142306.tif 000005
【図４】
2014142306.tif 000006
【図５】
2014142306.tif 000007
【図６】
2014142306.tif 000008
【図７】
2014142306.tif 000009
【図８】
2014142306.tif 000010
【図９】
2014142306.tif 000011
【図１０】
2014142306.tif 000012
【図１１】
2014142306.tif 000013
【図１２】
2014142306.tif 000014